(57)【要約】【課題】  医療情報の管理を適切に行うことが可能でありながら、操作者の負担を小さくする。【解決手段】  医療行為に関わる情報を収集する医療情報収集部１２を備えた収集機器１と、収集機器１により収集された情報に関する管理処理（記録または警告処理など）を行う記録部３４および警告処理部３８を備えた記録・警告装置３と、収集機器１および記録・警告装置３に接続される識別装置２とを備えて医療情報システムを構成する。識別装置３には、収集機器１の種類を表す識別情報を記憶する識別情報記憶部２３と、記憶された識別情報を記録・警告装置３に通知する識別情報送信部２５とをさらに備える。記録・警告装置３において記録部３４や警告処理部３４は、収集機器１により収集された情報を、通知された識別情報が表す種類に関連付けて管理処理する。【選択図】      図１
2006268307.tif 000002
【特許請求の範囲】
【請求項１】
医療行為に関わる情報を収集する収集手段を備えた収集機器と、
前記収集機器により収集された情報に関する管理処理を行う管理手段を備えた管理装置と、
前記収集機器および前記管理装置に接続される識別装置とを具備する医療情報システムであって、
前記識別装置は、
前記収集機器の種類を表す識別情報を記憶する記憶手段と、
記憶された前記識別情報を前記管理装置に通知する手段とをさらに具備し、
かつ前記管理手段は、前記収集機器により収集された情報を、通知された前記識別情報が表す種類に関連付けて管理処理することを特徴とする医療情報システム。
【請求項２】
前記管理装置は、通知された前記識別情報が表す種類の収集機器に応じた情報収集条件を表す条件情報を前記識別装置に通知する手段をさらに備え、
前記識別装置は、通知された前記条件情報を記憶する手段をさらに備え、
前記収集手段は、前記識別装置に記憶された前記条件情報が表す情報収集条件に基づいて前記医療行為に関わる情報を収集することを特徴とする請求項１に記載の医療情報システム。
【請求項３】
前記識別装置は、前記収集機器が接続されているか否かを表す接続情報を前記管理装置に通知する手段をさらに備え、
前記管理手段は、前記接続情報に基づいて前記識別装置に接続されていることが判明した前記収集機器により収集された情報を管理することを特徴とする請求項１に記載の医療情報システム。
【請求項４】
前記識別装置は、人為的に入力される識別情報を前記記憶手段に記憶させる手段を備えることを特徴とする請求項１に記載の医療情報システム。
【請求項５】
前記管理手段は、前記収集機器により収集された情報を記録する処理を前記管理処理として行うことを特徴とする請求項１に記載の医療情報システム。
【請求項６】
前記管理手段は、前記収集機器により収集された情報の異常を監視する処理を前記管理処理として行うことを特徴とする請求項１に記載の医療情報システム。
【請求項７】
前記管理手段は、前記収集機器により収集された情報の異常を検出した場合に警報を発する処理を加えて行うことを特徴とする請求項６に記載の医療情報システム。
【請求項８】
医療行為に関わる情報を収集する収集機器と、前記収集機器により収集された情報に関する管理処理を行う管理装置とを具備する医療情報システムにて前記収集機器および前記管理装置に接続される識別装置であって、
前記収集機器の種類を表す識別情報を記憶する手段と、
記憶された前記識別情報を前記管理装置に通知する手段とをさらに具備したことを特徴とする識別装置。
【請求項９】
前記管理装置から通知される、情報収集条件を表す条件情報を記憶する手段をさらに備えることを特徴とする請求項８に記載の識別装置。
【請求項１０】
前記収集機器が接続されているか否かを表す接続情報を前記管理装置に通知する手段をさらに備えることを特徴とする請求項８に記載の識別装置。
【請求項１１】
人為的に入力される識別情報を前記記憶手段に記憶させる手段をさらに備えることを特徴とする請求項８に記載の識別装置。
【請求項１２】
医療行為に関わる情報を収集する収集機器と、
管理装置と、
前記収集機器の種類を表す識別情報を前記管理装置に通知する識別装置とを具備する医療情報システムにおける前記管理装置において、
通知された前記識別情報が表す種類に関連付けて、前記収集機器により収集された情報に関する管理処理を行う管理手段を備えたことを特徴とする管理装置。
【請求項１３】
通知された前記識別情報が表す種類の収集機器に応じた情報収集条件を表す条件情報を前記識別装置に通知する手段をさらに備えたことを特徴とする請求項１２に記載の管理装置。
【請求項１４】
前記管理手段は、前記識別装置から通知された接続情報に基づいて前記識別装置に接続されていることが判明した前記収集機器により収集された情報を管理することを特徴とする請求項１２に記載の管理装置。
【請求項１５】
前記管理装置は、前記収集機器により収集された情報を記録する処理を前記管理処理として行うことを特徴とする請求項１２に記載の管理装置。
【請求項１６】
前記管理装置は、前記収集機器により収集された情報の異常を監視する処理を前記管理処理として行うことを特徴とする請求項１２に記載の管理装置。
【請求項１７】
前記管理装置は、前記収集機器により収集された情報の異常を検出した場合に警報を発する処理を加えて行うことを特徴とする請求項１６に記載の管理装置。
【請求項１８】
収集機器と、
前記収集機器により収集された情報に関する管理処理を行う管理手段を備えた管理装置と、
前記収集機器および前記管理装置に接続される識別装置とを具備する医療情報システムにおける前記収集機器であって、
前記識別装置に記憶された条件情報が表す情報収集条件に基づいて医療行為に関わる情報を収集する収集手段を備えたことを特徴とする収集機器。
【発明の詳細な説明】
【技術分野】
【０００１】
本発明は、手術などの医療行為の中で実行される治療やその中で発生する事象などに関する情報について、例えば時系列に記録するなどのような管理処理を行う医療情報システムと、このシステムで使用される識別装置、管理装置および収集機器に関する。
【背景技術】
【０００２】
手術中の患者生体情報、術者等の行動情報、術中画像および各種医療機器の動作情報のような医療情報を時系列的に記録する医療情報システムは知られている（例えば、特許文献１を参照）。
【０００３】
このような医療情報システムでは、様々な医療情報を収集するセンサなどの収集機器が使用される。医療情報を記録する記録装置は、多数の入力チャネルに接続された収集機器で収集される医療情報を記録する。記録すべき医療情報は、実施される医療行為に応じて異なる。このため、記録装置で入力すべき医療情報の組み合わせは無数にあり、各入力チャネルの用途を固定することは現実的ではない。そこで、記録装置の入力チャネルを汎用性的としておくことにより、システム運用の柔軟性を高めることが望ましい。
【０００４】
しかしながらこの場合、各入力チャネルに入力される医療情報が固定では無くなるので、入力チャネルと、それに接続された収集機器の種類との対応関係を逐一設定する必要がある。そして従来は、この設定作業を操作者が行っていた。
【特許文献１】特開２００４−２８０４５５
【発明の開示】
【発明が解決しようとする課題】
【０００５】
記録しようとする医療情報が多岐に渡る場合、多数の収集機器が使用されることになるため、上記のような操作者による設定作業に要する手間は膨大になる。このため、操作者の負担が過大となる。また、設定のミスが生じる恐れもあり、その場合には適正な情報管理を行うことができなくなってしまう。
【０００６】
例えば、手術室はスペースが限られるために、記録装置は手術室とは別の部屋に設置されることがある。このようなケースでは収集機器に接続される信号ケーブルを手術室から別室まで引き回すことになる。このため、手術室内に設置した収集機器から出る信号ケーブルが、最終的に記録装置のどの入力チャンネルに入力されているかを確認しながら設定を行うことは容易ではなく、膨大な時間を要する。こうした確認や手動設定には誤りも起こりやすく、例えば、患者の心拍情報を術者の心拍情報と取り違えたり、電気メスに流れる電流値をBISモニタ使用時の電流値と取り違えたりしたまま記録を行う恐れがある。
【０００７】
手術途中に医療機器が搬入されたり、撤去されたりすることもあるが、これに伴って収集機器も撤去、追加する必要が生じる場合がある。こうした場合も撤去あるいは追加する収集機器と記録装置の入力チャンネルとの対応を確認しながら、適切な設定を手動で行う必要があるが、多忙な手術中にこのような作業を行うことは大変困難である。
【０００８】
本発明はこのような事情を考慮してなされたものであり、その目的とするところは、医療情報の管理を適切に行うことが可能でありながら、操作者の負担が小さい医療情報システムと、このシステムで使用される識別装置、管理装置および収集機器を提供することにある。
【課題を解決するための手段】
【０００９】
以上の目的を達成するために本発明に係る医療情報システムは、医療行為に関わる情報を収集する収集手段を備えた収集機器と、前記収集機器により収集された情報に関する管理処理を行う管理手段を備えた管理装置と、前記収集機器および前記管理装置に接続される識別装置とを具備する医療情報システムであって、前記識別装置は、前記収集機器の種類を表す識別情報を記憶する記憶手段と、記憶された前記識別情報を前記管理装置に通知する手段とをさらに具備し、かつ前記管理手段は、前記収集機器により収集された情報を、通知された前記識別情報が表す種類に関連付けて管理処理する。
【００１０】
前記目的を達成するために本発明に係る識別装置は、医療行為に関わる情報を収集する収集機器と、前記収集機器により収集された情報に関する管理処理を行う管理装置とを具備する医療情報システムにて前記収集機器および前記管理装置に接続される識別装置であって、前記収集機器の種類を表す識別情報を記憶する手段と、記憶された前記識別情報を前記管理装置に通知する手段とをさらに備える。
【００１１】
前記目的を達成するために本発明に係る管理装置は、医療行為に関わる情報を収集する収集機器と、管理装置と、前記収集機器の種類を表す識別情報を前記管理装置に通知する識別装置とを具備する医療情報システムにおける前記管理装置であって、通知された前記識別情報が表す種類に関連付けて、前記収集機器により収集された情報に関する管理処理を行う管理手段を備える。
【００１２】
前記目的を達成するために本発明に係る収集機器は、収集機器と、前記収集機器により収集された情報に関する管理処理を行う管理手段を備えた管理装置と、前記収集機器および前記管理装置に接続される識別装置とを具備する医療情報システムにおける前記収集機器であって、前記識別装置に記憶された条件情報が表す情報収集条件に基づいて医療行為に関わる情報を収集する収集手段を備えた。
【発明の効果】
【００１３】
本発明によれば、医療情報の管理を適切に行うことが可能でありながら、操作者の負担を小さくできる。
【発明を実施するための最良の形態】
【００１４】
以下、図面を参照して本発明の一実施形態につき説明する。  
図１は運用状態における本実施形態の医療情報システムの構成例を示す図である。この医療情報システムは、手術室における手術に関わる医療情報を記録する。この例における手術を実施するためのツールとしては、ＢＩＳモニタ１０１、患者モニタ１０２、電気メス１０３、点滴ユニット１０４，１０５が使用される。
【００１５】
一方、手術室内には、記録するべき医療情報を収集するための複数の収集機器１が配置される。収集機器１は、収集した医療情報を送信する。本実施形態では、１６個の収集機器１が配置される。以下において、これら１６個の収集機器１を区別する必要がある場合には、収集機器1-1，1-2…，1-16と記す。
【００１６】
収集機器1-1は、ＢＩＳモニタ１０１の電源を監視するセンサである。収集機器1-2は、患者モニタ１０２の電源を監視するセンサである。収集機器1-3，1-15，1-16は、手術室を広角に撮影するカメラである。収集機器1-4は、麻酔医の音声を入力するマイクロホンである。収集機器1-5は、執刀医の音声を入力するマイクロホンである。収集機器1-6は、患者の音声を入力するマイクロホンである。収集機器1-7は、術野を撮影するカメラである。収集機器1-8，1-9，1-14は、手術室内の音を入力するマイクロホンである。収集機器1-10は、電気メス１０３の電源を監視するセンサである。収集機器1-11は、術野を天井から俯瞰撮影するカメラである。収集機器1-12は、点滴ユニット１０４における生理食塩水の流量を検出するセンサである。収集機器1-13は、点滴ユニット１０５における薬液の流量を検出するセンサである。
【００１７】
これらの収集機器１は、識別装置２にそれぞれ接続される。従って本実施形態では、１６個の識別装置２が配置される。以下において、これら１６個の識別装置２を区別する必要がある場合には、識別装置2-1，2-2…，2-16と記す。そして識別装置2-1，2-2…，2-16はいずれも、手術室の別室に設置された記録・警告装置３に接続される。
【００１８】
識別装置２は、接続されている収集機器１から送信された医療情報を記録・警告装置３へ送る。識別装置２は、接続されている収集機器１の種類を表す識別情報を、記録・警告装置３へ通知する。また識別装置２は、記録・警告装置３から通知される医療情報の収集条件を記憶し、収集機器１へ通知する。記録・警告装置３は、収集機器１で収集された医療情報を識別装置２を介して受信し、この医療情報を識別装置２から通知される識別情報が表す収集機器の種類に関連付けて記録する。また記録・警告装置３は、医療情報の異常を監視して、異常を検出した場合に警報を発する。
【００１９】
図２は図１に示される収集機器１、識別装置２および記録・警告装置３の具体的な構成を示すブロック図である。  
収集機器１は、インタフェース部（ＩＦ部）１０、収集条件受信部１１、医療情報収集部１２および医療情報送信部１３を含む。
【００２０】
識別装置２は、インタフェース部（ＩＦ部）２０，２１、接続通知部２２、識別情報記憶部２３、識別情報更新部２４、識別情報送信部２５、収集条件更新部２６、収集条件記憶部２７および収集条件送信部２８を含む。
【００２１】
記録・警告装置３は、インタフェース部（ＩＦ部）３０、接続検出部３１、医療情報受信部３２、識別情報受信部３３、記録部３４、条件記憶部３５、条件更新部３６、収集条件送信部３７、警告処理部３８および警告提示部３９を含む。
【００２２】
なお記録・警告装置３については、インタフェース部３０、接続検出部３１、医療情報受信部３２、識別情報受信部３３、収集条件送信部３７および警告処理部３８については、１つの入力チャネルに属するもののみを図示しているが、実際には複数の入力チャネル分が並列的に備えられている。
【００２３】
次に、以上のように構成された医療情報システムの動作について説明する。  
収集機器１として使用され得る各種の機器に対して、その種類を表す識別情報を割り当てておく。本実施形態で識別情報は、収集機器識別情報、対象機器識別情報および対象情報識別情報の３つからなることとする。収集機器識別情報は、収集機器１の情報収集形態を表す。例えば、電流センサ、点滴流量センサ、カメラ、マイクロホンなどの区別を表す。対象機器識別情報は、収集機器１が医療情報を収集する対象とする機器（カメラの撮影範囲やマイクロホンの入力対象音声の発生源などを含む）を表す。例えば、患者モニタ（患者バイタルモニタ）、ＢＩＳモニタ、電気メス、点滴装置、手術室広角、術野、執刀医などの区別を表す。対象情報識別情報は、収集機器１が収集する医療情報の具体的な内容を表す。例えば、コンセント部電流値、局所電流値、点滴流量、映像、音声などの区別を表す。従って例えば、収集機器1-1については例えば、「電流センサ」を表す収集機器識別情報、「ＢＩＳモニタ」を表す対象機器識別情報、ならびに「コンセント部電流値」を表す対象情報識別情報からなる識別情報が収集機器1-1に割り当てられる。
【００２４】
(1)識別情報の設定および接続
識別装置２は、接続される収集機器１の識別情報を識別情報記憶部２３に記憶する。識別情報記憶部２３にて記憶する識別情報は、操作者によって識別情報更新部２４に対して指定される。すなわち操作者は、新たな収集機器１をシステムに組み込む場合には、その収集機器１を識別装置２に接続するが、それに先立って、またはその事後に、収集機器１に割り当てられた識別情報を識別情報更新部２４へ指定する。識別情報更新部２４は、指定される識別情報を入力するための例えばキーボードなどの入力デバイスを備える。識別情報更新部２４は、識別情報記憶部２３が記憶する識別情報を、新たに指定された識別情報に更新する。
【００２５】
このように識別装置２は、様々な種類の収集機器１に接続可能な汎用性を持つ。識別情報の指定を操作者が行わなければならないが、図１に示すように識別装置２は収集機器１の近傍に配置可能であるため、識別装置２にどの収集機器１の識別情報を設定すべきであるかは明白である。このため、識別情報を指定するための操作者の作業は簡易であり、またミスは生じ難い。なお、識別装置２は、特定の収集機器１に専用とすることもできる。この場合には、識別情報記憶部２３には識別情報を固定的に記憶する。この識別装置２からは、識別情報更新部２４は省略される。
【００２６】
識別装置２は、記録・警告装置３に接続される。これにより、収集機器１と記録・警告装置３とが、識別装置２を介して接続される。
【００２７】
さて、識別装置２における接続通知部２２は、収集機器１の接続状態を記録・警告装置３へ通知する。  
図３は接続通知部２２の構成例を示す図である。  
記録・警告装置３から収集機器１へは、インタフェース部３０，２１，２０，１０を介して電源ラインＬ１およびグランドラインＬ２が接続される。電源ラインＬ１は、収集機器１で分岐される。この分岐されたラインＬ３は、インタフェース部１０，２０を介して接続通知部２２へと接続される。このラインＬ３は、さらにインタフェース部２１，３０を介して記録・警告装置３へと折り返される。ラインＬ３は、接続通知部２２にてグランドラインＬ２に抵抗器Ｒを介して接続されている。
【００２８】
かくして、収集機器１が識別装置２に接続されていない状態、あるいは図３（ａ）に示すように、識別装置２に接続された収集機器１の電源スイッチＳＷがオフになっている状態では、ラインＬ３はグランドレベルとなる。これに対して、図３（ｂ）に示すように、識別装置２に接続された収集機器１の電源スイッチＳＷがオンになっている状態では、ラインＬ３は＋５Ｖとなる。この結果、接続通知部２２から記録・警告装置３へは、動作可能な収集機器１が識別装置２に接続されている場合に＋５Ｖで、そうではないときにグランドレベルとなる接続検知信号がラインＬ３を介して送られる。
【００２９】
ラインＬ３は、インタフェース部３０を介して接続検出部３１に接続されている。接続検出部３１は、ラインＬ３のレベルを監視することによって、動作可能な収集機器１が識別装置２に接続されているか否かを検出する。そして接続検出部３１は、動作可能な収集機器１が識別装置２に接続されている場合に、当該入力チャネルに関する医療情報の記録処理や警告処理を実行するように記録部３４および警告処理部３８へ指示する。
【００３０】
(2)識別情報の取得
一方、識別装置２における識別情報送信部２５は、識別情報記憶部２３に記憶されている識別情報を、インタフェース部２１を介して記録・警告装置３へ送信する。これは、識別情報送信部２５が自動的に行っても良いし、記録・警告装置３からの要求に応じて行っても良い。記録・警告装置３においては、到来した識別情報をインタフェース部３０を介して識別情報受信部３３で受信する。識別情報受信部３３は、受信した識別情報を記録部３４、収集条件送信部３７および警告処理部３８へ与える。
【００３１】
(3)収集条件テーブルの設定および収集条件の設定
条件記憶部３５には、収集条件テーブル３５ａが設けられている。収集条件テーブル３５ａは、各種の収集機器１で医療情報を収集する際の条件を識別情報に関連付けて記述している。図４は収集条件テーブル３５ａの一例を示す図である。この図の例では、収集機器識別情報、対象機器識別情報および対象情報識別情報は、いずれも３桁の１０進数としている。そしてこれら３つの識別情報の組み合わせに関連付けて、サンプルレート、ゲイン、ローパスフィルタ（ＬＰＦ）の周波数およびハイパスフィルタ（ＨＰＦ）の周波数が記述されている。
【００３２】
なお図４における収集機器識別情報は、「００１」が第１のタイプの電流センサを、「００２」が第２のタイプの電流センサを、「００３」が第１のタイプの点滴流量センサを、そして「００４」が第２のタイプの点滴流量センサを示す。図４における対象機器識別情報は、「００１」が患者モニタを、「００２」がＢＩＳモニタを、そして「０３０」が電気メスを示す。図４における対象情報識別情報は、「１００」がコンセント部電流値を、「１０１」が局所電流値を、そして「２００」が点滴流量を示す。
【００３３】
収集条件テーブル３５ａに記述される情報は、各種の収集機器の特性を考慮して適切に定められる。収集条件テーブル３５ａに記述される情報は、操作者が変更することもできる。このときに操作者は、収集条件テーブル３５ａの変更内容を条件更新部３６に指定する。条件更新部３６は、指定を入力するための例えばキーボードなどの入力デバイスを備える。条件更新部３６は、収集条件テーブル３５ａを上記の指定に応じて更新する。
【００３４】
収集条件送信部３７は、識別情報受信部３３から通知される識別情報が変化した場合に、新しい識別情報に収集条件テーブル３５ａにて関連付けられた収集条件を表す収集条件情報をインタフェース部３０を介して識別装置２へ送信する。収集条件送信部３７はまた、識別情報受信部３３から通知される識別情報に収集条件テーブル３５ａにて関連付けられた収集条件が変更された場合、変更後の収集条件を表す収集条件情報をインタフェース部３０を介して識別装置２へ送信する。
【００３５】
収集条件情報は識別装置２では、インタフェース部２１を介して収集条件更新部２６で受信される。収集条件更新部２６は収集条件情報を受信すると、この収集条件情報を収集条件記憶部２７に書き込む。収集条件記憶部２７に既に収集条件情報が記憶されている場合には、その古い収集条件情報を新たに受信した収集条件情報に書き換える。
【００３６】
(4)医療情報の収集
収集機器１の医療情報収集部１２は、例えば収集機器1-1，1-2の場合には電流の検出器を主体とし、収集機器1-3，1-15，1-16の場合には撮像素子を主体とする。医療情報収集部１２は、それぞれが収集すべき医療情報を収集する。
【００３７】
ところで、識別装置２から送信される収集条件情報は、インタフェース部１０を介して収集条件受信部１１で受信されて医療情報収集部１２へ与えられる。医療情報収集部１２は、収集条件情報が表す収集条件の下に医療情報を収集する。
【００３８】
医療情報送信部１３は、医療情報収集部１２で収集された医療情報をインタフェース部１０を介して送信する。このようにして収集機器１から送信された医療情報は、識別装置２ではインタフェース部２０，２１をスルーされて、記録・警告装置３へと伝送される。収集条件情報は記録・警告装置３では、インタフェース部３０を介して医療情報受信部３２で受信される。そして医療情報は、医療情報受信部３２から記録部３４および警告処理部３８へ与えられる。
【００３９】
(5)医療情報の記録
記録部３４は、医療情報受信部３２から与えられる医療情報を、識別情報受信部３３から与えられる識別情報に関連付けて、時系列的に記録する。
【００４０】
(6)特性テーブルの設定、警告条件テーブルの設定および警告処理
条件記憶部３５には、特性テーブル３５ｂおよび警告条件テーブル３５ｃが設けられている。特性テーブル３５ｂは、収集機器１の特性を収集機器識別情報に関連付けて記述している。図５は特性テーブル３５ｂの一例を示す図である。この図の例では、収集機器識別情報に関連付けて、変換式および単位が記述されている。変換式は、例えば、収集機器１がアナログ出力の電流センサである場合、電流センサの直接の出力電圧が、実際どれだけの電流に相当するかを知るために必要な、機器に固有の変換式であう。単位は、上記の変換式による変換後の物理量の単位である。
【００４１】
特性テーブル３５ｂに記述される情報は、各種の収集機器の実際の特性に基づいて適切に定められる。特性テーブル３５ｂに記述される情報は、操作者が変更することもできる。このときに操作者は、特性テーブル３５ｂの変更内容を条件更新部３６に指定する。条件更新部３６は、特性テーブル３５ｂを上記の指定に応じて更新する。
【００４２】
警告条件テーブル３５ｃは、各種の収集機器１で収集される医療情報の異常に伴う警告を行う条件を識別情報に関連付けて記述している。図６は警告条件テーブル３５ｃの一例を示す図である。この図の例では、収集機器識別情報、対象機器識別情報および対象情報識別情報の組み合わせに関連付けて、警告ロジック、閾値ｘ、閾値ｙ、閾値ｔ、警告ロジック式、警告メッセージおよび警告有無を記述している。警告ロジックは、複数の条件から選択できるようになっている。警告ロジックと閾値とを設定すると警告ロジック式が確定する。警告メッセージは、医療情報の異常が検出された際に提示するメッセージを示す。
【００４３】
警告条件テーブル３５ｃに記述される情報は、各種の医療情報の性質を考慮して適切に定められる。警告条件テーブル３５ｃに記述される情報は、操作者が変更することもできる。このときに操作者は、警告条件テーブル３５ｃの変更内容を条件更新部３６に指定する。条件更新部３６は、警告条件テーブル３５ｃを上記の指定に応じて更新する。
【００４４】
警告処理部３８は、識別情報受信部３３から与えられる識別情報に関連付けられた警告ロジック式を警告条件テーブル３５ｃから取得して、この警告ロジック式を用いて医療情報受信部３２から与えられる医療情報が警告を行うべき条件を満たすかどうかを確認する。そして当該条件を満たす場合に警告処理部３８は、識別情報受信部３３から与えられる識別情報に関連付けられた警告メッセージを警告条件テーブル３５ｃから取得して、この警告メッセージの表示を警告提示部３９に行わせる。警告提示部３９は、液晶表示器のような表示デバイスを有し、警告処理部３８からの制御の下に警告メッセージを表示する。
【００４５】
なお、警告の提示は、警報音や音声メッセージの出力、振動の発生、ランプの発光などのような別の形態によっても良いし、またはそれらの複数を並列的に行うようにしても良い。この場合、警告提示部３９には、それらの提示動作に適した各種のデバイスを備えておく。また警告条件テーブル３５ｃには、サウンドの種類や音量などのように上記の各種の提示動作に関する条件を記述しておく。
【００４６】
以上のように本実施形態によれば、記録・警告装置３では、接続されている収集機器１の種類を自動的に認識することができる。このため、記録・警告装置３に対する設定を操作者が行う必要がなく、操作者の負担が大幅に軽減されるとともに、誤った設定がなされる危険性を低減することができる。
【００４７】
また本実施形態によれば、収集機器１における医療情報の収集条件を、収集機器１の種類に基づいて記録・警告装置３が自動的に設定するので、収集条件の設定も操作者は行わなくて良い。このため、さらに操作者の負担が軽減されるとともに、収集機器１で適切な医療情報を収集することができる。
【００４８】
この実施形態は、次のような種々の変形実施が可能である。  
識別情報は、１種類のみで表されても良い。この場合、識別情報は、使用する情報収集機器、対象機器、対象情報がひとつでも異なれば、異なる識別情報を割り当てる。このような識別情報を適用する場合の収集条件テーブルの例を図７に示す。
【００４９】
複数の情報から、複合的に警告条件を定めたい場合、次のような警告条件テーブルにしておくと良い。すなわち、図８に示すように、それぞれの警告を識別するための情報を新たに設け(表中右の警告No.)、複合条件を設定可能とする。例えば、警告No.3の警告は、警告No.４が警告と判定されている場合にのみ、警告を提示できる。これにより、それぞれの単独の情報に基づく警告条件に比べて、より複雑な警告条件を設定することが可能となる。
【００５０】
収集機器１の全てまたは一部が、識別装置２を内蔵していても良い。
【００５１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００５２】
【図１】運用状態における本発明の一実施形態の医療情報システムの構成例を示す図。
【図２】図１に示される収集機器１、識別装置２および記録・警告装置３の具体的な構成を示すブロック図。
【図３】図２中の接続通知部２２の構成例を示す図。
【図４】図２中の収集条件テーブル３５ａの一例を示す図。
【図５】図２中の特性テーブル３５ｂの一例を示す図。
【図６】図２中の警告条件テーブル３５ｃの一例を示す図。
【図７】図２中の収集条件テーブル３５ａの変形例を示す図。
【図８】図２中の警告条件テーブル３５ｃの変形例を示す図。
【符号の説明】
【００５３】
１（1-1〜1-16）…収集機器、２（2-1〜2-16）…識別装置、３…記録・警告装置、１０，２０，２１，３０…インタフェース部、１１…収集条件受信部、１２…医療情報収集部、１３…医療情報送信部、２２…接続通知部、２３…識別情報記憶部、２４…識別情報更新部、２５…識別情報送信部、２６…収集条件更新部、２７…収集条件記憶部、２８…収集条件送信部、３１…接続検出部、３２…医療情報受信部、３３…識別情報受信部、３４…記録部、３５…条件記憶部、３５ａ…収集条件テーブル、３５ｂ…特性テーブル、３５ｃ…警告条件テーブル、３６…条件更新部、３７…収集条件送信部、３８…警告処理部、３９…警告提示部。
【図１】
2006268307.tif 000003
【図２】
2006268307.tif 000004
【図３】
2006268307.tif 000005
【図４】
2006268307.tif 000006
【図５】
2006268307.tif 000007
【図６】
2006268307.tif 000008
【図７】
2006268307.tif 000009
【図８】
2006268307.tif 000010